(57)【要約】【課題】より少ない労力及びコストで取付先の仕様に応じて柔軟に好適な施工方式を選択可能とする。【解決手段】取付枠体１１０に対して装置本体１２０のケーシング１２２を着脱可能に構成される送風装置１００であって、取付枠体は、互いに対向して設けられる一対の第１の接続部材１１２、１１４と、互いに対向して設けられ、一対の第１の接続部材の両端側をそれぞれ接続する第２の接続部材１１６、１１８と、を備え、第１の接続部材は、両端部に第２の接続部材との接続部１１２ｃ２、１１４ｃ２を有し、接続部は、第１の接続部材に対する第２の接続部材の高さ方向の位置を変更可能に構成されることを特徴とする。【選択図】図２
2020026937.tif 000002
【特許請求の範囲】
【請求項１】
取付枠体に対して装置本体のケーシングを着脱可能に構成される送風装置であって、
前記取付枠体は、
互いに対向して設けられる一対の第１の接続部材と、
互いに対向して設けられ、前記一対の第１の接続部材の両端部をそれぞれ接続する第２の接続部材と、を備え、
前記第１の接続部材は、両端部に前記第２の接続部材との接続部を有し、該接続部は、前記第１の接続部材に対する前記第２の接続部材の高さ方向の位置を変更可能に構成されることを特徴とする送風装置。
【請求項２】
前記接続部は、前記第１の接続部材の両端側の前記高さ方向に設けられる複数の取付部であり、前記第２の接続部材は、前記取付部の位置を変更することによって、前記第１の接続部材に対する前記第２の接続部材の高さ方向の位置が変更されることを特徴とする請求項１に記載の送風装置。
【請求項３】
前記接続部は、前記第１の接続部材の両端側の前記高さ方向に延びて形成されるスリットであり、前記第２の接続部材は、前記スリットを介して位置を変更することによって、前記第１の接続部材に対する前記第２の接続部材の高さ方向の位置が変更されることを特徴とする請求項１に記載の送風装置。
【請求項４】
前記一対の第１の接続部材の上端側には、前記ケーシングの上面に形成された上面側位置決め開口に係止可能な上端側位置決め部が設けられることを特徴とする請求項１乃至３の何れか１項に記載の送風装置。
【請求項５】
前記一対の第１の接続部材の下端側には、前記ケーシングの下端側に設けられるフランジ部に形成された下端側位置決め開口に係止可能な下端側位置決め部が設けられることを特徴とする請求項１乃至４の何れか１項に記載の送風装置。
【請求項６】
前記下端側位置決め部として、前記第１の接続部材の幅方向に沿って設けられる第１の下端側位置決め部と、前記第１の接続部材の両端側の下端に設けられる第２の下端側位置決め部が設けられることを特徴とする請求項５に記載の送風装置。
【請求項７】
前記第２の接続部材の下面側には、前記フランジ部に締結するための孔部が設けられることを特徴とする請求項５又は６に記載の送風装置。
【請求項８】
前記第１の接続部材又は前記第２の接続部材には、アンカーボルトを締結する天吊金具を取付可能な天吊金具用取付部が設けられることを特徴とする請求項１乃至７の何れか１項に記載の送風装置。
【請求項９】
前記一対の第１の接続部材として、一方には、給気用マニホールドが設けられ、他方には、外気用・排気用マニホールドが設けられることを特徴とする請求項１乃至８の何れか１項に記載の送風装置。
【請求項１０】
装置本体のケーシングに着脱可能な取付枠体であって、
互いに対向して設けられる一対の第１の接続部材と、
互いに対向して設けられ、前記一対の第１の接続部材の両端部をそれぞれ接続する第２の接続部材と、を備え、
前記第１の接続部材は、両端部に前記第２の接続部材との接続部を有し、該接続部は、前記第１の接続部材に対する前記第２の接続部材の高さ方向の位置を変更可能に構成されることを特徴とする取付枠体。
【発明の詳細な説明】
【技術分野】
【０００１】
本発明は、取付枠体に対して熱交換型換気装置等の送風装置本体のケーシングを着脱可能に構成される送風装置、及び取付枠体に関する。
【背景技術】
【０００２】
近年では、住宅、ビル、倉庫等の空調対象空間の高気密・高断熱化や冷暖房機器の性能が向上したことに伴い、窓を閉め切った生活時間帯が長くなってきている。このため、自然換気による不安定な換気や、給気・換気不足による室内の加湿状態と空気汚染、窓からの換気によるエネルギーの損失、外気に含まれる花粉や粉塵の室内への侵入等の各種問題が生じてきている。
【０００３】
そこで、これらの問題点を解消するために、室外と室内とを繋げる給気通路と、室内と室外とを繋げる排気通路と、給気通路を流れる給気流と排気通路を流れる排気流との間で熱交換を行わせる熱交換器と、を備える熱交換型換気装置が開発されている。熱交換型換気装置では、送風ファンによって吸い込まれる外気ＯＡ（Outside Air）、当該外気ＯＡが熱交換器を通過した給気ＳＡ（Supply Air）、送風ファンによって吸い込まれ、外部に戻される換気ＲＡ（Return Air）、及び熱交換器通過後の排出される排気ＥＡ（Exhaust Air）の４種類の空気流れ系統を有する。
【０００４】
このような住宅の天井等に取り付けられる熱交換型換気装置として、メンテナンス作業等を容易にするために、例えば、特許文献１及び２には、装置本体と排気・給気マニホールドを別部品として、施工後に装置本体のみを取付枠体から分離可能とする機体構造のものが開示されている。このように、装置本体と排気・給気マニホールドを分離可能とすることで、メンテナンス作業等で装置本体を降ろしたい場合に、排気・給気マニホールドをサイドステーで固定して枠形状とした取付枠体（マニホールドＡＳＳＹ）を天井に残したままに出来るので、ダクトを外さなくてもメンテナンス作業が行えるようになり、作業効率が向上する。
【先行技術文献】
【特許文献】
【０００５】
【特許文献１】特開平１０−２８１５２３号公報
【特許文献２】特許３８０４６６６号公報
【発明の概要】
【発明が解決しようとする課題】
【０００６】
住宅天井への熱交換型換気装置等の送風装置の施工方式には、主に、天井裏の野縁へ送風装置を直接施工する野縁施工と、予め天井等に打ち込んだアンカーボルトに送風装置を固定して吊り下げる天吊施工の２つが存在する。また、施工する際は、取付先の家屋の天井裏の梁等の構造物と干渉しないように当該構造物をよけて施工する必要がある。このため、このような送風装置を施工する際には、取付先の天井等の仕様により適宜、好適な方式を選択する必要があり、状況に応じて施工方式の変更を余儀なくされる場合がある。
【０００７】
しかしながら、前述した特許文献１及び２に開示した熱交換型換気装置では、野縁施工から天吊施工に変更するには、取付枠体を構成するサイドステーに本体結合用の追加部品を溶接して対応する必要があり、その作業に手間を要する上にコスト高となってしまう。また、サイドステーの位置が固定されているため、天井裏の構造物と干渉する場合には、施工不能となることもある。すなわち、より少ない労力及びコストで取付先の仕様に応じた好適な施工方式を柔軟に選択できることが好ましい。
【０００８】
本発明は、上記課題に鑑みてなされたものであり、より少ない労力及びコストで取付先の仕様に応じて柔軟に好適な施工方式を選択することの可能な、新規かつ改良された送風装置、及び取付枠体を提供することを目的とする。
【課題を解決するための手段】
【０００９】
本発明の一態様は、取付枠体に対して装置本体のケーシングを着脱可能に構成される送風装置であって、前記取付枠体は、互いに対向して設けられる一対の第１の接続部材と、互いに対向して設けられ、前記一対の第１の接続部材の両端部をそれぞれ接続する第２の接続部材と、を備え、前記第１の接続部材は、両端部に前記第２の接続部材との接続部を有し、該接続部は、前記第１の接続部材に対する前記第２の接続部材の高さ方向の位置を変更可能に構成されることを特徴とする。
【００１０】
本発明の一態様によれば、第２の接続部材が第１の接続部材に対する第２の接続部材の高さ方向の位置を変更可能に取り付けられるので、送風装置の取付先の仕様に応じて柔軟に施工方式を選択できるようになる。
【００１１】
本発明の一態様では、前記接続部は、前記第１の接続部材の両端側の前記高さ方向に設けられる複数の取付部であり、前記第２の接続部材は、前記取付部の位置を変更することによって、前記第１の接続部材に対する前記第２の接続部材の高さ方向の位置が変更されることとしてもよい。
【００１２】
このようにすれば、第２の接続部材は、第１の接続部材の取付部の位置を変更することによって、第１の接続部材に対する第２の接続部材の高さ方向の位置が変更されるので、送風装置の取付先の仕様に応じた柔軟な施工方式の選択が実現される。
【００１３】
また、本発明の一態様では、前記接続部は、前記第１の接続部材の両端側の前記高さ方向に延びて形成されるスリットであり、前記第２の接続部材は、前記スリットを介して位置を変更することによって、前記第１の接続部材に対する前記第２の接続部材の高さ方向の位置が変更されることとしてもよい。
【００１４】
このようにすれば、第２の接続部材は、スリットを介して位置を変更することによって、第１の接続部材に対する第２の接続部材の高さ方向の位置が変更されるので、送風装置の取付先の仕様に応じた柔軟な施工方式の選択が実現される。
【００１５】
また、本発明の一態様では、前記一対の第１の接続部材の上端側には、前記ケーシングの上面に形成された上面側位置決め開口に係止可能な上端側位置決め部が設けられることとしてもよい。
【００１６】
このようにすれば、取付枠体をケーシングに取り付けた際に、取付枠体に対する第１の接続部材の角度が変動されずに固定されるので、ケーシングと取付枠体の密接が確保され、送風装置の安定した動作が可能になる。
【００１７】
また、本発明の一態様では、前記一対の第１の接続部材の下端側には、前記ケーシングの下端側に設けられるフランジ部に形成された下端側位置決め開口に係止可能な下端側位置決め部が設けられることとしてもよい。
【００１８】
このようにすれば、取付枠体にケーシングを取り付ける際に容易に位置決めが行えるようになり、かつ、取付枠体にケーシングを取り付けた後にケーシングの移動を抑制できる。
【００１９】
また、本発明の一態様では、前記下端側位置決め部として、前記第１の接続部材の幅方向に沿って設けられる第１の下端側位置決め部と、前記第１の接続部材の両端側の下端に設けられる第２の下端側位置決め部が設けられることとしてもよい。
【００２０】
このようにすれば、取付枠体にケーシングを取り付ける際に、取付枠体に対するケーシングの位置決めと固定を容易に行えるようになる。
【００２１】
また、本発明の一態様では、前記第２の接続部材の下面側には、前記フランジ部に締結するための孔部が設けられることとしてもよい。
【００２２】
このようにすれば、天吊施工時における取付部位に対する装置本体のケーシングの安定した取付が可能となる。
【００２３】
また、本発明の一態様では、前記第１の接続部材又は前記第２の接続部材には、アンカーボルトを締結する天吊金具を取付可能な天吊金具用取付部が設けられることとしてもよい。
【００２４】
このようにすれば、アンカーボルトを締結する天吊金具を天吊金具用取付部に取り付けることによって、天吊施工による送風装置の取付が可能となる。
【００２５】
また、本発明の一態様では、前記一対の第１の接続部材として、一方には、給気用マニホールドが設けられ、他方には、外気用・排気用マニホールドが設けられることとしてもよい。
【００２６】
このようにすれば、メンテナンス作業等において、各ダクトに接続される取付枠体を取付先に残したまま、装置本体のケーシングを着脱可能にできるので、当該作業効率が向上する。
【００２７】
また、本発明の他の態様は、装置本体のケーシングに着脱可能な取付枠体であって、互いに対向して設けられる一対の第１の接続部材と、互いに対向して設けられ、前記一対の第１の接続部材の両端部をそれぞれ接続する第２の接続部材と、を備え、前記第１の接続部材は、両端部に前記第２の接続部材との接続部を有し、該接続部は、前記第１の接続部材に対する前記第２の接続部材の高さ方向の位置を変更可能に構成されることを特徴とする。
【００２８】
本発明の他の態様によれば、第２の接続部材が第１の接続部材の高さ方向の位置を変更可能に取り付けられるので、送風装置の取付先の仕様に応じた柔軟な施工方式の選択が可能になる。
【発明の効果】
【００２９】
以上説明したように本発明によれば、装置本体のケーシングを支持する取付枠体を構成する第１の接続部材の高さ方向に対する第２の接続部材の取付位置が変更可能に構成されるので、送風装置の取付先の仕様に応じて、柔軟な施工方式の選択ができるようになる。
【図面の簡単な説明】
【００３０】
【図１】（Ａ）及び（Ｂ）は、本発明の一実施形態に係る取付枠体の概略構成を示す斜視図である。
【図２】本発明の一実施形態に係る取付枠体を装置本体のケーシングに取り付ける状態を示す斜視図である。
【図３】（Ａ）及び（Ｂ）は、本発明の一実施形態に係る送風装置の装置本体のケーシングが取付枠体を介して野縁施工で取り付けられた状態を示す斜視図である。
【図４】（Ａ）及び（Ｂ）は、本発明の一実施形態に係る送風装置の装置本体のケーシングが取付枠体を介して天吊施工で取り付けられた状態を示す斜視図である。
【図５】（Ａ）及び（Ｂ）は、本発明の一実施形態に係る取付枠体を装置本体のケーシングに取り付ける際の動作説明図である。
【図６】（Ａ）及び（Ｂ）は、本発明の一実施形態に係る送風装置の装置本体のケーシングに設けられる仮止め手段による取付枠体に対するケーシングの仮止めの動作説明図である。
【図７】（Ａ）乃至（Ｃ）は、本発明の他の一実施形態に係る取付枠体の概略構成を示す斜視図である。
【図８】（Ａ）は、本発明の他の一実施形態に係る送風装置の装置本体のケーシングが取付枠体を介して野縁施工で取り付けられた状態を示す斜視図であり、（Ｂ）は、本発明の他の一実施形態に係る送風装置の装置本体のケーシングが取付枠体を介して野縁施工で取り付ける状態を示す斜視図である。
【図９】（Ａ）は、本発明の他の一実施形態に係る送風装置の装置本体のケーシングが取付枠体を介して天吊施工で取り付けられた状態を示す斜視図であり、（Ｂ）は、本発明の他の一実施形態に係る送風装置の装置本体のケーシングが取付枠体を介して天吊施工で取り付ける状態を示す斜視図である。
【図１０】本発明の他の一実施形態に係る取付枠体を野縁施工で厚手の野縁に取り付けた状態を示す斜視図である。
【図１１】本発明の他の一実施形態に係る送風装置の取付先の天井懐が低く、梁が装置本体上方に存在する場合における野縁施工で取り付けた状態を示す斜視図である。
【図１２】本発明の一実施形態に係る送風装置の一例となる熱交換型換気装置の構成を示す断面図である。
【図１３】本発明の一実施形態に係る送風装置の一例となる熱交換型換気装置の下面の構成を示す図である。
【図１４】本発明の一実施形態に係る送風装置の一例となる熱交換型換気装置の側面の構成を示す図である（その１）。
【図１５】本発明の一実施形態に係る送風装置の一例となる熱交換型換気装置の側面の構成を示す図である（その２）。
【図１６】本発明の一実施形態に係る送風装置の一例となる熱交換型換気装置の側面の構成を示す図である（その３）。
【図１７】本発明の一実施形態に係る送風装置の一例となる熱交換型換気装置を建物に取り付けたときの取付例を示す図である。
【発明を実施するための形態】
【００３１】
以下、本発明の好適な実施の形態について詳細に説明する。なお、以下に説明する本実施形態は、特許請求の範囲に記載された本発明の内容を不当に限定するものではなく、本実施形態で説明される構成の全てが本発明の解決手段として必須であるとは限らない。
【００３２】
（第１の実施形態）
まず、本発明の一実施形態に係る取付枠体の概略構成及び動作について、図面を使用しながら説明する。図１（Ａ）及び図１（Ｂ）は、本発明の一実施形態に係る取付枠体の概略構成を示す斜視図であり、図２は、本発明の一実施形態に係る取付枠体を装置本体のケーシングに取り付ける状態を示す斜視図である。なお、図１（Ａ）が野縁施工時における取付枠体の概略構成を示す斜視図であり、図１（Ｂ）が天吊施工時における取付枠体の概略構成を示す斜視図である。
【００３３】
本発明の一実施形態に係る取付枠体１１０は、熱交換型換気装置等の送風装置１００の装置本体１２０を住宅の天井等に取り付ける際に使用され、図２に示すように、熱交換器や制御部等の各種機能部が搭載された装置本体１２０のケーシング１２２に着脱可能に構成されている。取付枠体１１０は、図１（Ａ）及び図１（Ｂ）に示すように、互いに対向して設けられる一対の第１の接続部材となる略板状のマニホールド１１２、１１４と、互いに対向して設けられ、これらのマニホールド１１２、１１４の両端部をそれぞれ接続する第２の接続部材となる略棒状のサイドステー１１６、１１８から構成される。なお、本実施形態の送風装置１００は、家屋外の空気を家屋内に送風する給気と、家屋内の空気を家屋外に送風して排気を行うが、これに限らず、家屋内の空気を家屋外に送風して換気するものであってもよい。
【００３４】
本実施形態では、一方の第１の接続部材１１２として、外気ダクトと接続される外気用マニホールド接続口１１２ｄ１と排気ダクトと接続される排気用マニホールド接続口１１２ｄ２が形成される外気用・排気用マニホールドが設けられている。また、他方の第１の接続部材１１４として、複数の給気ダクトと接続される給気用マニホールド接続口１１４ｄ１、１１４ｄ２、１１４ｄ３、１１４ｄ４、１１４ｄ５が形成される給気用マニホールドが設けられている。
【００３５】
第１の接続部材１１２、１１４の両端側には、それぞれリブ部１１２ｅ、１１４ｅが設けられている。本実施形態では、これらのリブ部１１２ｅ、１１４ｅには、図１（Ａ）及び図１（Ｂ）に示すように、サイドステー１１６、１１８と接続する接続部として、取付部となるネジ孔１１２ｃ１、１１２ｃ２、１１４ｃ１、１１４ｃ２が第１の接続部材１１２、１１４の高さ方向に沿って２つずつそれぞれ設けられている。本実施形態では、リブ部１１２ｅ、１１４ｅの第１の位置となる中腹部位に野縁施工時に使用されるネジ孔１１２ｃ１、１１４ｃ１が設けられ、リブ部１１２ｅ、１１４ｅの第２の位置となる下端寄り部位に天吊施工時に使用されるネジ孔１１２ｃ２、１１４ｃ２が設けられている。なお、本明細書中で用いられる高さ方向とは、住宅の天井から床面に向けた鉛直方向を意味する。
【００３６】
第２の接続部材となるサイドステー１１６、１１８は、図２に示すように、断面が略コの字型であり、その下面側には、天吊施工での取付に使用され、ケーシング１２２の下端側に形成されるフランジ部１２２ｂに締結するための複数の孔部１１８ｂが設けられている。また、本実施形態では、サイドステー１１６、１１８には、天吊施工での取付に使用されるアンカーボルト２（図４（Ａ）及び図４（Ｂ）参照）を締結する天吊金具２ａ（図４（Ａ）及び図４（Ｂ）参照）を取付可能な天吊金具用取付部として複数の孔部１１６ａ１、１１８ａ１とスリット１１６ａ２、１１８ａ２が設けられている。
【００３７】
なお、本実施形態において、天吊金具２ａは、第２の接続部材の一例となるサイドステー１１６、１１８に取り付けた例を示すが、天吊金具２ａは、第１の接続部材の一例となるマニホールド１１２、１１４に取り付ける構成としてもよい。また、アンカーボルト２が天吊金具２ａを介さずに、直接、サイドステー１１６、１１８に取りつけられるようにしてもよい。
【００３８】
すなわち、本実施形態では、サイドステー１１６、１１８には、天吊施工に対応可能とするためのケーシング１２２のフランジ部１２２ｂの取付部として複数の孔部１１８ｂが設けられ、天吊施工に対応可能とするための天吊金具用取付部として複数の孔部１１８ａ１とスリット１１８ａ２がそれぞれ設けられている。また、サイドステー１１６、１１８の両端側には、第１の接続部材１１２、１１４のネジ孔１１２ｃ１、１１２ｃ２、１１４ｃ１、１１４ｃ２にネジ止め等により接続される取付部１１６ｃ、１１８ｃが設けられている。なお、複数の孔部１１６ａ１、１１８ａ１は、ネジ止めのためにバーリング加工等で形成されてもよい。
【００３９】
このように、本実施形態では、第１の接続部材１１２、１１４の両端側に設けられるリブ部１１２ｅ、１１４ｅの高さ方向に設置位置が異なる取付部となるネジ孔１１２ｃ１、１１２ｃ２、１１４ｃ１、１１４ｃ２がそれぞれ設けられている。そして、サイドステー１１６、１１８は、接続先として取付部となるネジ孔１１２ｃ１、１１２ｃ２、１１４ｃ１、１１４ｃ２の位置を変更することによって、第１の接続部材１１２、１１４に対する第２の接続部材１１６、１１８の高さ方向の位置が変更されるようになっている。
【００４０】
すなわち、本発明の一実施形態に係る取付枠体１１０は、野縁施工時には、図１（Ａ）に示すように、第１の接続部材１１２、１１４のリブ部１１２ｅ、１１４ｅの第１の位置に設けられるネジ孔１１２ｃ１、１１４ｃ１を取付部として、サイドステー１１６、１１８が取り付けられる。一方、天吊施工時には、図１（Ｂ）に示すように、第１の接続部材１１２、１１４のリブ部１１２ｅ、１１４ｅの第２の位置に設けられるネジ孔１１２ｃ２、１１４ｃ２を取付部として、サイドステー１１６、１１８が取り付けられる。
【００４１】
このため、野縁施工時には、取付枠体１１０のサイドステー１１６、１１８を第１の接続部材１１２、１１４の中腹部位となる第１の位置に取り付けて、図３（Ａ）及び図３（Ｂ）に示すように、天井に設けられた野縁１に送風装置１００の取付枠体１１０と装置本体１２０が取り付けられるようになる。一方、天吊施工時には、取付枠体１１０のサイドステー１１６、１１８を第１の接続部材１１２、１１４の下端寄り部位となる第２の位置に取り付けて、図４（Ａ）及び図４（Ｂ）に示すように、天井に取りつけられたアンカーボルト２に断面形状が略Ｌ字型の天吊金具２ａを介して、送風装置１００の取付枠体１１０が取り付けられ、当該取付枠体１１０に装置本体１２０が取り付けられるようになる。
【００４２】
すなわち、本実施形態では、第２の接続部材となるサイドステー１１６、１１８は、第１の接続部材１１２、１１４の取付部の位置を変更することによって、第１の接続部材１１２、１１４に対する第２の接続部材１１６、１１８の高さ方向の位置が変更される。このため、送風装置１００の取付先の仕様に応じて、施工方式を野縁施工にするか、天吊施工にするか柔軟に選択をすることができるようになる。
【００４３】
なお、本実施形態では、各リブ部１１２ｅ、１１４ｅには、それぞれ２つずつのネジ孔１１２ｃ１、１１２ｃ２、１１４ｃ１、１１４ｃ２が設けられているが、ねじ孔を３つ以上にしてもよい。すなわち、サイドステー１１６、１１８は、第１の接続部材１１２、１１４の取付部の位置を３段階以上に変更可能にすることによって、第１の接続部材１１２、１１４の高さ方向の位置が３段階以上に変更されるようにしてもよい。このように、サイドステー１１６、１１８の第１の接続部材１１２、１１４に対する取付部の高さ位置を多段階とすることによって、施工先の状況に応じて野縁施工と天吊施工の施工方式を柔軟に切り替えるだけでなく、各施工方式において、より好適な施工態様に柔軟に適用できるようになる。
【００４４】
また、本実施形態では、第１の接続部材１１２、１１４の上端側には、図２に示すように、ケーシング１２２の上面側に形成された上面側位置決め開口１２２ａに係止可能なフック状の上端側位置決め部１１４ａが設けられている。このように、ケーシング１２２の上面側位置決め開口１２２ａに係止可能な上端側位置決め部１１４ａを設けることによって、取付枠体１１０をケーシング１２２に取り付けた際に、取付枠体１１０に対する第１の接続部材１１２、１１４の倒れ込みが抑制されて固定されるようになる。
【００４５】
例えば、マニホールドとなる第１の接続部材１１２、１１４に接続されるダクトの張力等を高めると、当該第１の接続部材１１２、１１４がダクト側に引っ張られるようになり、これら第１の接続部材１１２、１１４が傾くようになる。特に、天吊施工時には、サイドステー１１６、１１８が第１の接続部材１１２、１１４の下端寄り部分に取り付けられるので、当該第１の接続部材１１２、１１４が傾くリスクが高くなる。
【００４６】
このため、本実施形態では、取付枠体１１０に装置本体１２０を取り付ける際に、図５（Ａ）に示すように、第１の接続部材１１４の上端側に設けられた上端側位置決め部１１４ａをケーシング１２２の上面側位置決め開口１２２ａに向けて移動させると、図５（Ｂ）に示すように、上端側位置決め部１１４ａが上面側位置決め開口１２２ａに嵌合する。このように、上端側位置決め部１１４ａを上面側位置決め開口１２２ａに嵌合させることによって、第１の接続部材１１４が固定されて傾きにくくなるので、送風装置の安定した動作が可能になる。
【００４７】
また、本実施形態では、第１の接続部材１１２、１１４の下端側には、図６（Ａ）及び図６（Ｂ）に示すように、ケーシング１２２の下端側に設けられるフランジ部１２２ｂに形成された下端側位置決め開口１２２ｂ１、１２２ｂ２に係止可能な下端側位置決め部１１２ｂ１、１１２ｂ２が設けられている。具体的には、下端側位置決め部として、第１の接続部材１１２、１１４の幅方向に沿って設けられる第１の下端側位置決め部１１２ｂ１、１１４ｂ１と、前記第１の接続部材の両端側の下端に設けられる第２の下端側位置決め部１１２ｂ２、１１４ｂ２が設けられている。
【００４８】
このように、第１の接続部材１１２、１１４の下端側に下端側位置決め部１１２ｂ１、１１２ｂ２、１１４ｂ１、１１４ｂ２を設けることによって、取付枠体１１０にケーシング１２２を取り付ける際に容易に位置決めが行えるようになり、かつ、取付枠体１１０にケーシング１２２を取り付けた後にケーシング１２２の移動を抑制できるようになる。すなわち、取付枠体１１０にケーシング１２２を取り付ける際に、取付枠体１１０に対するケーシング１２２の位置決めと固定を容易に行えるようになる。
【００４９】
また、本実施形態では、ケーシング１２２の下面側には、図６（Ａ）及び図６（Ｂ）に示すように、ケーシング１２２に取付枠体１１０を取り付けた際の仮止め手段となる板状の係止部材１２２ｃがケーシング１２２の下面に対して回動可能に設けられている。このように、係止部材１２２ｃを設けることによって、図６（Ａ）に示すように、ケーシング１２２に取付枠体１１０を取り付けた際に、図６（Ｂ）に示すように、係止部材１２２ｃを回動させて第１の下端側位置決め部１１２ｂ１に係止できるようになる。
【００５０】
（第２の実施形態）
次に、本発明の他の一実施形態に係る取付枠体の概略構成及び動作について、図面を使用しながら説明する。図７（Ａ）乃至図７（Ｃ）は、本発明の他の一実施形態に係る取付枠体の概略構成を示す斜視図である。なお、図７（Ａ）及び図７（Ｂ）が野縁施工時における取付枠体の概略構成を示す斜視図であり、図７（Ｃ）が天吊施工時における取付枠体の概略構成を示す斜視図である。
【００５１】
本発明の他の一実施形態に係る取付枠体２１０は、熱交換型換気装置等の送風装置２００の装置本体２２０を住宅の天井等に取り付ける際に使用され、熱交換器や制御部等の各種機能部が搭載された装置本体２２０のケーシング２２２に着脱可能に構成されている。取付枠体２１０は、図７（Ａ）乃至図７（Ｃ）に示すように、互いに対向して設けられる一対の第１の接続部材となる略板状のマニホールド２１２、２１４と、互いに対向して設けられ、これらのマニホールド２１２、２１４の両端側をそれぞれ接続する第２の接続部材となる略棒状のサイドステー２１６、２１８から構成される。
【００５２】
本実施形態では、一方の第１の接続部材２１２として、外気ダクトと接続される外気用マニホールド接続口２１２ｄ１と排気ダクトと接続される排気用マニホールド接続口２１２ｄ２が形成される外気用・排気用マニホールドが設けられている。また、他方の第１の接続部材２１４として、複数の給気ダクトと接続される給気用マニホールド接続口２１４ｄ１、２１４ｄ２、２１４ｄ３、２１４ｄ４、２１４ｄ５が形成される給気用マニホールドが設けられている。
【００５３】
第１の接続部材２１２、２１４の両端側には、それぞれリブ部２１２ｅ、２１４ｅが設けられている。本実施形態では、これらのリブ部２１２ｅ、２１４ｅには、図７（Ａ）乃至図７（Ｃ）に示すように、サイドステー２１６、２１８と接続する接続部として、取付部となるスリット２１２ｃ、２１４ｃが第１の接続部材２１２、２１４の高さ方向に沿って展開するようにそれぞれ設けられている。
【００５４】
また、第１の接続部材２１２、２１４の上端側には、第１の実施形態と同様に、第１の接続部材２１２、２１４の転倒防止用のフック状の上端側位置決め部２１４ａが設けられている。さらに、第１の接続部材２１２、２１４の下端側には、第１の実施形態と同様に、位置決め用の下端側位置決め部２１２ｂ１、２１２ｂ２、２１４ｂ１、２１４ｂ２が設けられている。
【００５５】
第２の接続部材となるサイドステー２１６、２１８は、第1の実施形態と同様に、断面が略コの字型であり、その下面側には、天吊施工での取付に使用され、ケーシング２２２の下端側に形成されるフランジ部２２２ｂ（図８（Ｂ）参照）に締結するための複数の孔部２１８ｂが設けられている。また、本実施形態では、サイドステー２１６、２１８には、天吊施工での取付に使用されるアンカーボルト２（図９（Ａ）及び図９（Ｂ）参照）を締結する天吊金具２ａ（図９（Ａ）及び図９（Ｂ）参照）を取付可能な天吊金具用取付部として複数の孔部２１６ａ１、２１８ａ１とスリット２１６ａ２、２１８ａ２が設けられている。
【００５６】
なお、本実施形態において、天吊金具２ａは、第２の接続部材の一例となるサイドステー２１６、２１８に取り付けた例を示すが、天吊金具２ａは、第１の接続部材の一例となるマニホールド２１２、２１４に取り付ける構成としてもよい。また、アンカーボルト２が天吊金具２ａを介さずに、直接、サイドステー２１６、２１８に取りつけられるようにしてもよい。
【００５７】
すなわち、本実施形態では、第１の実施形態と同様に、サイドステー２１６、２１８には、天吊施工に対応可能とするためのケーシング２２２のフランジ部２２２ｂの取付部として複数の孔部２１８ｂが設けられ、天吊施工に対応可能とするための天吊金具用取付部として複数の孔部２１８ａ１とスリット２１８ａ２がそれぞれ設けられている。また、サイドステー２１６、２１８の両端側には、第１の接続部材２１２、２１４のスリット２１２ｃ、２１４ｃにネジ止め等により接続される取付部２１６ｃ、２１８ｃが設けられている。なお、複数の孔部２１６ａ１、２１８ａ１は、ネジ止めのためにバーリング加工等で形成されてもよい。
【００５８】
このように、本実施形態では、第１の接続部材２１２、２１４の両端側に設けられるリブ部２１２ｅ、２１４ｅの高さ方向に展開されて形成される取付部となるスリット２１２ｃ、２１４ｃがそれぞれ設けられている。そして、サイドステー２１６、２１８は、接続先として取付部となるスリット２１２ｃ、２１４ｃを介して取付部の高さ位置を変更することによって、図７（Ａ）乃至（Ｃ）に示すように、第１の接続部材２１２、２１４に対する第２の接続部材２１６、２１８の高さ方向の位置が変更されるようになっている。
【００５９】
すなわち、本実施形態に係る取付枠体２１０は、野縁施工時には、図７（Ｂ）に示すように、第１の接続部材２１２、２１４のリブ部２１２ｅ、２１４ｅに形成されたスリット２１２ｃ、２１４ｃの中腹部分を取付部として、サイドステー２１６、２１８が取り付けられる。一方、天吊施工時には、図７（Ｃ）に示すように、第１の接続部材２１２、２１４のリブ部２１２ｅ、２１４に形成されたスリット２１２ｃ、２１４ｃの下端側部分を取付部として、サイドステー２１６、２１８が取り付けられる。
【００６０】
このため、野縁施工時には、取付枠体２１０のサイドステー２１６、２１８を第１の接続部材２１２、２１４の中腹部分に取り付けて、図８（Ａ）及び図８（Ｂ）に示すように、天井に設けられた野縁１に送風装置２００の取付枠体２１０と装置本体２２０が取り付けられるようになる。一方、天吊施工時には、取付枠体２１０のサイドステー２１６、２１８を第１の接続部材２１２、２１４の下端側部分に取り付けて、図９（Ａ）及び図９（Ｂ）に示すように、天井に取りつけられたアンカーボルト２に断面形状が略Ｌ字型の天吊金具２ａを介して、送風装置２００の取付枠体２１０と装置本体２２０が取り付けられるようになる。
【００６１】
すなわち、本実施形態では、第２の接続部材となるサイドステー２１６、２１８は、第１の接続部材２１２、２１４の取付部の位置を変更することによって、第１の接続部材２１２、２１４に対する第２の接続部材２１６、２１８の高さ方向の位置が変更される。このため、送風装置２００の取付先の仕様に応じて、施工方式を野縁施工にするか、天吊施工にするか柔軟に選択をすることができるようになる。
【００６２】
特に、本実施形態では、第１の接続部材２１２、２１４のリブ部２１２ｅ、２１４の高さ方向に延びて形成されたスリット２１２ｃ、２１４ｃを介して、サイドステー２１６、２１８の高さ位置を連続的に変更できるようになっている。このため、送風装置２００の取付先の仕様に応じて、サイドステー２１６、２１８の高さ位置をより細かく柔軟に調整できるようになっている。
【００６３】
例えば、本実施形態の取付枠体２１０を野縁施工で厚手の野縁１ａに取り付ける場合には、図１０に示すように、サイドステー２１６、２１８を野縁１ａの高さまで上げて、当該野縁１ａと干渉しない位置に変更することによって、送風装置２００の設置が可能になる。また、送風装置２００の取付先の天井懐３が低く、梁３ａが装置本体上方に存在する場合には、図１１に示すように、サイドステー２１６、２１８を所望の高さに調整して野縁施工で取り付けられるようになる。すなわち、本体上方側に障害物がある場合には、サイドステー２１６、２１８を下方に逃げた位置に移動させて固定する。
【００６４】
このように、本実施形態では、第１の接続部材２１２、２１４とサイドステー２１６、２１８との接続部が第１の接続部材２１２、２１４の両端側に設けられるリブ部２１２ｅ、２１４ｅの高さ方向に延びて形成されるスリット２１２ｃ、２１４ｃとしている。このため、サイドステー２１６、２１８は、当該スリット２１２ｃ、２１４ｃを介して位置を変更することによって、第１の接続部材２１２、２１４の高さ方向の位置がより細かく柔軟に連続的に変更可能となっている。これによって、送風装置２００の取付先の仕様に応じた柔軟な施工方式の選択、及び各施工方式でのより柔軟な施工対応が可能になる。
【００６５】
（熱交換型換気装置の構成例）
次に、本発明の一実施形態に係る送風装置の一例となる熱交換型換気装置の内部構成について詳細に説明する。図１２は、本発明の一実施形態に係る送風装置の一例となる熱交換型換気装置の構成を示す断面図である。図１３は、本発明の一実施形態に係る送風装置の一例となる熱交換型換気装置の下面の構成を示す図である。図１４、図１５、及び図１６は、本発明の一実施形態に係る送風装置の一例となる熱交換型換気装置の側面の構成を示す図である。本例では、給気ファン及び排気ファンにより機械的に給気及び排気を行う熱交換型換気装置（第１種換気装置）を適用した例について説明する。
【００６６】
図１２乃至図１６に示すように、熱交換型換気装置１０は、建物外部の外気ＯＡ（Outer Air）を室内に取り込む給気ファン３２と、室内の空気ＲＡ（Return Air）を屋外に送り出す排気ファン３４と、給気ファン３２及び排気ファン３４を回転駆動させるモータ４０と、外気ＯＡと室内の空気ＲＡの熱交換をする熱交換素子６２と、これらを収容するケーシング１２と、ケーシング１２の下面に取り付けられるフロントパネル１４とを備えている。
【００６７】
ケーシング１２は、換気装置本体の一例を構成し、ＡＢＳ（Acrylonitrile Butadiene Styrene）樹脂により直方体状の箱型に成形された筐体である。ケーシング１２は、４側面の側壁部１２ａ〜１２ｄと上面部１２ｅとを有し、その下面に本体開口２５が設けられる。側壁部１２ａ〜１２ｄの下端には、フロントパネル１４を着脱可能に取り付けるためのフランジ部１２ｇが設けられる。フランジ部１２ｇは、外方向に所定の長さだけ延出しており、側壁部１２ａ〜１２ｄ下端の全周に亘って設けられる。
【００６８】
ケーシング１２の側壁部１２ａには、図１２及び図１５に示すように、外気ＯＡを取り込むための取込口５２と室内の空気ＲＡを屋外に排出するための排気口５４とが形成される。取込口５２には、ＯＡダクトジョイント８０が連結され、排気口５４には、ＥＡダクトジョイント８２が連結される。ＯＡダクトジョイント８０及びＥＡダクトジョイント８２のそれぞれは、後述するように屋外まで延在するダクトに接続される。
【００６９】
ケーシング１２の側壁部１２ｂには、図１２に示すように、熱交換素子６２により熱交換された空気ＳＡ（Supply Air）を各室内に供給するための給気口６４が形成される。本例では、４個の給気口６４が形成され、４箇所の部屋に空気ＳＡを供給できるようになっている。給気口６４には、各部屋に延在するＳＡダクトジョイント８４が連結される。ケーシング１２の側壁部１２ｃには、図１５及び図１６に示すように、室内（熱交換型換気装置１０が設置された部屋以外の室内）の空気を吸い込むための図示しない副吸込口が設けられ、副吸込口に副吸込みダクトジョイント８６が連結される。
【００７０】
ケーシング１２の下面には、後述するＯＡオサエ板金１６がケーシング１２の側壁部１２ｂと若干の間隙を隔てて（本体開口２５の一部を開口させるようにして）設けられる。この間隙は、室内の空気ＲＡを吸い込むための吸込口５８として機能する。
【００７１】
このような構成により、ケーシング１２内部には、取込口５２から建物外部の外気ＯＡを取り込んで、熱交換された空気ＳＡを給気口６４から室内に供給するための給気風路ＯＡ−ＳＡと、吸込口５８から室内の空気ＲＡを吸い込んで熱交換された空気ＥＡを排気口５４から建物外部に排出するための排気風路ＲＡ−ＥＡとが形成される。
【００７２】
ケーシング１２の上面部１２ｅには、熱交換素子６２の上端部を支持するための支持部１２ｈと、排気風路ＲＡ−ＥＡの一部を構成して熱交換素子６２を通過した空気ＥＡの風向を調整するための傾斜部１２ｉとが設けられる。支持部１２ｈは、上面部１２ｅが内側方向に断面略Ｖ字状に折り曲げられた部分のうち、その先端部に設けられる。
【００７３】
傾斜部１２ｉは、熱交換素子６２を通過した空気ＥＡが当たる位置に設けられ、熱交換素子６２を通過した空気ＥＡの風向との交差角度が小さくなるように、熱交換素子６２の上端部からケーシング１２の上面部に向かって傾斜している。これにより、空気ＥＡが傾斜部１２ｉを緩やかな傾斜角度で傾斜部１２ｉに当たることで、円滑に空気ＥＡを排気ファン３４に導くことができる。
【００７４】
ケーシング１２の内部は、図１２に示すように、給気ファン３２及び排気ファン３４が設置されるファン設置室３０と熱交換素子６２が設置される熱交換室６０とに分割されている。ファン設置室３０は、ケーシング１２の高さ方向の略中間位置から平面方向に延びる仕切り部材２２によって、給気ファン３２が設置されるＯＡ室４６と排気ファンが設置されるＥＡ室４８とに分割されている。仕切り部材２２は、例えば、強度の高い鉄板から構成される。仕切り部材２２の下面には、ＯＡ室４６とＥＡ室４８との温度差により発生する結露を防止するための断熱部材の一例を構成する不図示のパッキン部材が貼り付けられる。
【００７５】
（熱交換型換気装置の動作例）
次に、本発明の一実施形態に係る送風装置の一例となる熱交換型換気装置の動作について図１２を参照して説明する。熱交換型換気装置１０を運転状態としてモータ４０を回転駆動させると、これに連動して給気ファン３２及び排気ファン３４が回転する。この給気ファン３２の回転により、外気ＯＡが図示しないダクト、ＯＡダクトジョイント８０及び取込口５２を通過してケーシング１２内部に取り込まれる。
【００７６】
取り込まれた外気ＯＡは、給気ファンケース７０の給気開口部７８、給気ファン３２及び給気風路ＯＡ−ＳＡを構成するＯＡオサエ部材１５の傾斜部１５ｂを通過して熱交換素子６２に供給される。熱交換素子６２では、室内の空気と熱交換が行われ、所定温度に温度変更された空気ＳＡが給気口６４に供給される。給気口６４に供給された空気ＳＡは、給気口６４に連結されるＳＡダクトジョイント８４を通過して各室内に供給される。このようにして、屋外の新鮮な外気ＯＡが各室内に供給される。
【００７７】
一方、排気ファン３４の駆動により、室内の空気ＲＡがフロントパネル１４を介してケーシング１２の吸込口５８から吸い込まれる。吸い込まれた空気ＲＡは、熱交換素子６２に取り込まれ、熱交換素子６２では、外気ＯＡと熱交換が行われて、所定温度に温度変更される。熱交換素子６２を通過した空気ＥＡは、排気風路ＲＡ−ＥＡを構成するケーシング１２の傾斜部１２ｉ、排気ファンケース９０の排気開口部９８及び排気ファン３４を通過して排気口５４に送り出される。
【００７８】
本例では、排気開口部９８の開口径Ｗ２は、給気開口部７８の開口径Ｗ１よりも小さいため、排気風路ＲＡ−ＥＡの風量を少なくなるように調整される。排気口５４に送り出された空気ＥＡは、ＥＡダクトジョイント８２及び図示しないダクトを通過して屋外に排出される。このようにして、室内の汚れた空気ＲＡが屋外に排出される。
【００７９】
（熱交換型換気装置の設置例）
図１７は、本発明の一実施形態に係る送風装置の一例となる熱交換型換気装置を建物に取り付けたときの取付例を示す図である。なお、図１７では、建物５００は、２階建てで構成されており、本発明の一実施形態に係る送風装置の一例となる図１２に示した熱交換型換気装置１０を１階部分に取り付けた例を示す。
【００８０】
建物５００は、壁によって仕切られた複数の部屋Ｒ１，Ｒ２，Ｒ３及び廊下Ｒ４を有している。部屋Ｒ１、Ｒ２、Ｒ３及び廊下Ｒ４を仕切る壁及び扉の下部には、図示しないガラリやアンダーカットが設けられる。
【００８１】
建物５００の廊下Ｒ４の天井面には、フロントパネル１４を室内に露出させた状態で熱交換型換気装置１０が設置される。廊下Ｒ４の天井面に位置した吸込口５８（図１２参照）からは、ガラリやアンダーカット等の開口部を介して廊下Ｒ４に流入した部屋Ｒ１，Ｒ２，Ｒ３の空気ＲＡが吸い込まれる。
【００８２】
部屋Ｒ１、Ｒ２、Ｒ３のそれぞれの天井面には、給気グリル５０８が取り付けられる。本例において、部屋Ｒ１は、面積の広いリビングルームであるため、給気グリル５０８が部屋Ｒ１天井面の２箇所に取り付けられている。熱交換型換気装置１０のケーシング１２に設けられた４個の給気口６４（図１２等参照）のそれぞれには、ＳＡダクトジョイント８４（図１３参照）を介して給気ダクト５０６が接続される。４本の給気ダクト５０６のそれぞれは、部屋Ｒ１〜Ｒ３の天井面に設置された給気グリル５０８まで延在し、その先端部が給気グリル５０８に接続されている。
【００８３】
熱交換型換気装置１０の取込口５２（図１２参照）には、ＯＡダクトジョイント８０（図１３参照）を介して取込ダクト５０２が接続される。取込ダクト５０２は、屋外の壁面に設置された図示しない取込グリルに接続される。熱交換型換気装置１０の排気口５４（図１５参照）には、ＥＡダクトジョイント８２（図１３参照）を介して、排気ダクト５０４が接続される。排気ダクト５０４は、屋外の壁面に設置された図示しない排気グリルに接続されている。
【００８４】
熱交換型換気装置１０の副吸込みダクトジョイント８６（図１６参照）には、副吸込みダクト５０９が接続され、副吸込みダクト５０９は、部屋Ｒ３の天井面に設置された副吸い込みグリル５１０に接続される。
【００８５】
このような構成により、屋外の外気ＯＡは、取込ダクト５０２を介して熱交換型換気装置１０に取り込まれ、熱交換素子６２（図１２参照）により熱交換された空気ＳＡが給気ダクト５０６を通過して各部屋Ｒ１，Ｒ２，Ｒ３に供給される。
【００８６】
一方、部屋Ｒ３及び廊下Ｒ４の空気ＲＡ等は、熱交換型換気装置１０の副吸込みダクト５０９及び吸込口５８を介して熱交換型換気装置１０に吸い込まれる。吸い込まれた空気ＲＡは、熱交換素子６２（図１２参照）により熱交換され、熱交換された空気ＥＡが排気ダクト５０４を介して屋外に排出される。
【００８７】
（総括）
以上説明したように、本発明の各実施形態に係る取付枠体及び送風装置を適用することによって、野縁施工と天吊施工の双方の施工法に対応可能な構成となっているサイドステーがマニホールドの高さ方向の位置を変更可能に取り付けられるようになる。このため、送風装置の取付先の仕様に応じて、より少ない労力及びコストで柔軟に野縁施工と天吊施工の施工方式を選択できるようになる。
【００８８】
すなわち、本発明の各実施形態に係る送風装置は、熱交換器や制御部等の各種機能部が搭載された装置本体が取付枠体から着脱可能に構成されてメンテナンス作業の効率を高めた上で、取付先の仕様に応じて柔軟に施工方式を選択・変更をすることができる。特に、木造住宅等では、送風装置を施工する際に、施工方式として野縁施工と天吊施工の選択の判断が現場でなされることがあるので、取付枠体を双方の施工方式でも互換性のある構成とすることによって、現場での柔軟な対応が可能になるので、極めて大きな工業的価値を有する。
【００８９】
なお、上記のように本発明の各実施形態について詳細に説明したが、本発明の新規事項及び効果から実体的に逸脱しない多くの変形が可能であることは、当業者には、容易に理解できるであろう。従って、このような変形例は、全て本発明の範囲に含まれるものとする。
【００９０】
例えば、明細書又は図面において、少なくとも一度、より広義又は同義な異なる用語と共に記載された用語は、明細書又は図面のいかなる箇所においても、その異なる用語に置き換えることができる。また、送風装置、及び取付枠体の構成、動作も本発明の各実施形態で説明したものに限定されず、種々の変形実施が可能である。
【符号の説明】
【００９１】
１００、２００  送風装置、１１０、２１０  取付枠体、１１２、１１４、２１２、２１４  第１の接続部材、１１２ｂ１、１１２ｂ２、１１４ｂ１、１１４ｂ２、２１２ｂ１、２１２ｂ２、２１４ｂ１、２１４ｂ２  下端側位置決め部、１１２ｃ１、１１２ｃ２、１１４ｃ１、１１４ｃ２  取付部、１１２ｅ、１１４ｅ、２１２ｅ、２１４ｅ  リブ部、１１４ａ、２１４ａ  上端側位置決め部、１１６、１１８、２１６、２１８  第２の接続部材、１１８ａ１、１１８ａ２、２１８ａ１、２１８ａ２  天吊金具用取付部、１１８ｂ、２１８ｂ  孔部、１２０、２２０  装置本体、１２２、２２２  ケーシング、１２２ａ、２２２ａ  上面側位置決め開口、１２２ｂ、２２２ｂ  フランジ部、１２２ｂ１、１２２ｂ２  下端側位置決め開口、２１２ｃ、２１４ｃ  スリット
【図１】
2020026937.tif 000003
【図２】
2020026937.tif 000004
【図３】
2020026937.tif 000005
【図４】
2020026937.tif 000006
【図５】
2020026937.tif 000007
【図６】
2020026937.tif 000008
【図７】
2020026937.tif 000009
【図８】
2020026937.tif 000010
【図９】
2020026937.tif 000011
【図１０】
2020026937.tif 000012
【図１１】
2020026937.tif 000013
【図１２】
2020026937.tif 000014
【図１３】
2020026937.tif 000015
【図１４】
2020026937.tif 000016
【図１５】
2020026937.tif 000017
【図１６】
2020026937.tif 000018
【図１７】
2020026937.tif 000019